(57)【特許請求の範囲】
【請求項１】
光源となる電源バルブから出射された光のうち赤色の波長域の光を変調する第１のライトバルブと、上記電源バルブから出射された光のうち緑色の波長域の光を変調する第２のライトバルブと、上記電源バルブから出射された光のうち青色の波長域の光を変調する第３のライトバルブとを備え、吸気用ファンから送風された冷却風を送風ダクトの送風用開口を介して上記第１のライトバルブと第２のライトバルブと第３のライトバルブとへ向けて送風して冷却する投射型表示装置であって、
上記送風ダクトの送風用開口を覆うと共に上記第１のライトバルブと第２のライトバルブと第３のライトバルブとへ向けて送風される冷却風の各出口となる導風口が形成されたシート部材と、
上記導風口から各ライトバルブ側へ吐出される冷却風を通すフード部とを設け、
上記送風ダクトと上記シート部材とは別体に構成され、
上記各導風口は上記各ライトバルブ側へ吐出される上記冷却風の風量に応じて所望の大きさに形成されるようにした
ことを特徴とする投射型表示装置。
【請求項２】
送風ダクトに仕切壁を設けて冷却風の流路を第１のライトバルブ用の第１の流路と第２のライトバルブ用の第２の流路と第３のライトバルブ用の第３の流路とに分割し、上記第１のライトバルブと第２のライトバルブと第３のライトバルブとへ向けて各導風口から各別に冷却風を送風するようにした
ことを特徴とする請求項１に記載の投射型表示装置。
【請求項３】
第３の流路を流れる冷却風の流量を第２の流路を流れる冷却風の流量より多くすると共に第２の流路を流れる冷却風の流量を第１の流路を流れる冷却風の流量より多くした
ことを特徴とする請求項１に記載の投射型表示装置。
【請求項４】
上記第１のライトバルブと第２のライトバルブと第３のライトバルブの各入射面と各出射面に対向してそれぞれ入射側偏光板と出射側偏光板とを配置し、入射側偏光板又は出射側偏光板の少なくとも一方の偏光板の両面へ向けて冷却風を送風するようにした
ことを特徴とする請求項１に記載の投射型表示装置。
【請求項５】
上記第１のライトバルブと第２のライトバルブと第３のライトバルブの各入射面と各出射面に対向してそれぞれ入射側偏光板と出射側偏光板とを配置し、
送風ダクトの送風用開口を覆うと共に上記第１の流路と第２の流路と第３の流路とをそれぞれ流れる冷却風の各出口となる導風口を有するシート部材を設け、
入射側偏光板へ向けて冷却風を送風する第１の導風口と出射側偏光板へ向けて冷却風を送風する上記第１の導風口と異なる大きさの第２の導風口とにより上記導風口を構成した
ことを特徴とする請求項１に記載の投射型表示装置。
【発明の詳細な説明】
【０００１】
【発明の属する技術分野】
本発明は投射型表示装置についての技術分野に関する。詳しくは、電源バルブから出射された光のうち所定の色の波長域の光を変調する３つのライトバルブを備え、吸気用ファンから送風された冷却風を送風ダクトを介して各ライトバルブへ向けて送風して冷却する投射型表示装置についての技術分野に関する。
【０００２】
【従来の技術】
リフレクターに支持された電源バルブと光の変調等を行うライトバルブとを有し電源バルブから出射された光をライトバルブに照射することにより得られた映像を投射レンズを介してスクリーン等に映し出す投射型表示装置がある。
【０００３】
このような投射型表示装置にあっては、駆動時に高温となる各種の光学部品、例えば、ライトバルブや偏光板等を冷却風によって冷却して限界保証温度以下に保持することが行われている。従来の投射型表示装置にあっては、吸気用ファンから送られた冷却風を送風ダクトを介して、３つのライトバルブ用の各導風口から各別に３つのライトバルブへ向けて送風して冷却を行うようにしている。
【０００４】
【発明が解決しようとする課題】
ところが、通常、所定の各色の波長域の光を変調する３つのライトバルブは、投射型表示装置の駆動時において異なる温度まで上昇するため、従来の投射型表示装置のように、吸気用ファンから送られた冷却風を３つのライトバルブ用の各導風口から各別にそれぞれのライトバルブへ向けて送風した場合には、各ライトバルブの温度に応じた効率的な冷却を行うことができないという問題がある。
【０００５】
また、導風口と各ライトバルブとの間には、通常、一定の距離があるため、導風口からライトバルブへ達するまでに周囲の空間に逃げてしまう冷却風の量が多いと、効率的な冷却を行うことができないという不都合もある。
【０００６】
そこで、本発明投射型表示装置は、上記した問題点を克服し、各ライトバルブへ適正量の冷却風を送風し、冷却効率の向上を図ることを課題とする。
【０００９】
【課題を解決するための手段】
本発明投射型表示装置は、上記した課題を解決するために、送風ダクトの送風用開口を覆うと共に第１のライトバルブと第２のライトバルブと第３のライトバルブとへ向けて送風される冷却風の各出口となる導風口が形成されたシート部材と、導風口から各ライトバルブ側へ吐出される冷却風を通すフード部とを設け、送風ダクトとシート部材とは別体に構成され、各導風口は各ライトバルブ側へ吐出される冷却風の風量に応じて所望の大きさに形成されるようにしたものである。
【００１０】
従って、本発明投射型表示装置にあっては、ライトバルブがフード部の先端に近接又は当接して配置されるので、各ライトバルブへ向けて送風される冷却風の周囲の空間への逃げを防止することができ、また、シート部材に設けられた各導風口が各ライトバルブ側へ吐出される冷却風の風量に応じて所望の大きさに形成されるようにしたので、効率的な冷却を行うことができる。また、シート部材が送風ダクトとは別体になっているので、冷却風の風量を加減するため導風口の大きさを変える必要がある場合でも、シート部材を交換するだけで済む。
【００１１】
【発明の実施の形態】
以下に、本発明の実施の形態を添付図面を参照して説明する。尚、以下に示した実施の形態は、本発明を、電源バルブと光の変調等を行うライトバルブとを有し電源バルブから出射された光をライトバルブに照射することにより得られた映像を投射レンズを介してスクリーン等に映し出す投射型表示装置に適用したものである。
【００１２】
投射型表示装置１は扁平な箱状を為す外筐２内に所要の各部が配置されて成り（図１乃至図３参照）、外筐２の下面の４隅には投射型表示装置１を机上等に載置するためのスタンド３、３、・・・が設けられている（図２参照）。
【００１３】
外筐２の内部には平面形状が略Ｌ字状を為す光学ユニットケース４が配置され、該光学ユニットケース４の内部に各光学部品により構成される光学ユニット５が収納されている（図３参照）。光学ユニット５としては、フライアイレンズ６、７、ＰＳ変換素子８、コンデンサーレンズ９、全反射ミラー１０、ダイクロイックミラー１１Ｒ、１１Ｇ、リレーレンズ１２、全反射ミラー１３、リレーレンズ１４、全反射ミラー１５、１６、フィールドレンズ１７Ｒ、１７Ｇ、１７Ｂ、入射側偏光板１８Ｒ、１８Ｇ、１８Ｂ、ライトバルブ１９Ｒ、１９Ｇ、１９Ｂ、出射側偏光板２０Ｒ、２０Ｇ、２０Ｂ及びクロスプリズム２１等が設けられている。
【００１４】
フライアイレンズ６、７は強度分布を有する後述する放電ランプから出射される光を多数の光スポットに分割しライトバルブ１９Ｒ、１９Ｇ、１９Ｂの画面全体の輝度分布を均一にするためのものであり、放電ランプ側に離間して配置されている。
【００１５】
フライアイレンズ７に近接してＰＳ変換素子８及びコンデンサーレンズ９が配置されている。ＰＳ変換素子８は短冊状に配列された偏光ビームスプリッターとこれに対応して間欠的に設けられた位相差板とから成り、入射光の偏光方向の変換を行うものである。
【００１６】
全反射ミラー１０はコンデンサーレンズ９を挟んでＰＳ変換素子８の反対側にコンデンサーレンズ９と離間して配置され、光を９０°反射しダイクロイックミラー１１Ｒ、１１Ｇへ導く役割を果たす。
【００１７】
ダイクロイックミラー１１Ｒ、１１Ｇはそれぞれ同じ向きに４５°傾斜されて配置され、ダイクロイックミラー１１Ｒは入射された光のうち赤色の波長域の光を９０°反射し、ダイクロイックミラー１１Ｇは入射された光のうち緑色の波長域の光を９０°反射する機能を有する。
【００１８】
全反射ミラー１５はダイクロイックミラー１１Ｒの前方に配置され、ダイクロイックミラー１１Ｒで反射された赤色の波長域の光を反射してフィールドレンズ１７Ｒに導くものである。
【００１９】
ダイクロイックミラー１１Ｇの側方には、リレーレンズ１２及び全反射ミラー１３がそれぞれ離間して配置され、該全反射ミラー１３の前方にはリレーレンズ１４及び全反射ミラー１６がそれぞれ離間して配置されている。これらの全反射ミラー１３、１６は、ダイクロイックミラー１１Ｇを透過された青色の波長域の光を９０°反射してフィールドレンズ１７Ｂへ導くためのものである。
【００２０】
フィールドレンズ１７Ｒ、１７Ｇ、１７Ｂの出射側に、それぞれ入射側偏光板１８Ｒ、１８Ｇ、１８Ｂが配置され、該入射側偏光板１８Ｒ、１８Ｇ、１８Ｂに対向して光変調素子であるライトバルブ１９Ｒ、１９Ｇ、１９Ｂが配置されている。ライトバルブ１９Ｒ、１９Ｇ、１９Ｂはそれぞれクロスプリズム２１の各入射面に対向した状態で配列されている。また、クロスプリズム２１の各入射面とライトバルブ１９Ｒ、１９Ｇ、１９Ｂとの間には、それぞれ出射側偏光板２０Ｒ、２０Ｇ、２０Ｂが配置されている。
【００２１】
上記フライアイレンズ６の入射側には、ランプユニット２２が配置されている。ランプユニット２２は、リフレクター２３に放電ランプ２４が取り付けられて成る。そして、リフレクター２３の開口縁には防護ガラス２５が取り付けられている。
【００２２】
光学ユニットケース４の下面側にはシロッコファン２６が配置されており（図１乃至図３参照）、該シロッコファン２６はケース体２７の内部に回転翼２８が回転自在に収納されて成る。ケース体２７は回転翼収納部２９と吐出部３０と被取付板部３１、３１、３１と送風部３２とが一体に形成されて成り、回転翼収納部２９に回転翼２８が回転自在に収納されている（図４及び図５参照）。
【００２３】
回転翼収納部２９は、外形が略円形状を為し互いに対向して位置する側板部２９ａ、２９ａと該側板部２９ａ、２９ａの外周縁間を連結する縦断面形状で円弧状の周面部２９ｂとから成り、一方の側板部２９ａに連続して被取付板部３１、３１、３１が突出されて設けられている。
【００２４】
吐出部３０は回転翼収納部２９の一部から突出されており、横断面形状で枠状に形成されている。吐出部３０は周面部２９ｂに連続して設けられ互いに対向し上下に位置する第１の面部３０ａ、第２の面部３０ｂと側板部２９ａ、２９ａにそれぞれ連続し互いに対向して位置する側面部３０ｃ、３０ｃとから成り、第２の面部３０ｂの突出量は第１の面部３０ａの突出量より大きくされている。また、吐出部３０の先端開口が吐出口３０ｄとして形成されている。
【００２５】
送風部３２は回転翼収納部２９の周面部２９ｂから放射方向へ突出して設けられ、回転翼２８の回転軸における一方の方向、即ち、被取付板部３２、３２、３２が位置する側に開口され、該開口が送風口３２ａとして形成されている。
【００２６】
回転翼２８の外周部と回転翼収納部２９の周面部２９ｂとの間の空間が送風空間３３として形成されている。送風空間３３は回転翼２８の回転方向（図５に示す矢印Ｒ方向）において、第１の面部３０ａから第２の面部３０ｂに近づくに従って回転翼２８の外周部と周面部２９ｂとの間隔が大きくなるように形成され、第１の面部３０ａに近い部分が最も幅の狭い最小幅部３３ａとされ、第２の面部３０ｂと周面部２９ｂとの交点部分が最も幅の広い最大幅部３３ｂとされている（図５参照）。
【００２７】
シロッコファン２６は、回転翼２８の回転軸を中心として、吐出部３０の第１の面部３０ａから回転翼２８の回転方向側に約１２０°（図５に示す角度α）隔てた位置に設けられている（図５参照）。
【００２８】
シロッコファン２６は、回転翼２８の回転軸が上下方向を向くようにして、外筐２の底面に被取付板部３１、３１、３１を介して取り付けられ、光学ユニットケース４の下方に配置されている（図１乃至図３参照）。従って、回転翼収納部２９に設けられた送風部３０は、送風口３０ａが上方に開口される向きに位置され、また、送風部３０はフライアイレンズ７及びＰＳ変換素子８の下方に位置される（図２参照）。
【００２９】
光学ユニットケース４の下面側には送風ダクト３４が配置されており（図１乃至図３参照）、該送風ダクト３４は側方の一部及び上方が開口された扁平な箱状に形成されている（図４参照）。送風ダクト３４はタンク部３５と該タンク部３５から突出された取入部３６とが一体に形成されて成る（図４及び図５参照）。
【００３０】
送風ダクト３４の側面側の開口、即ち、取入部３６の先端開口はシロッコファン２６から送られる冷却風を取り入れるための取入口３６ａとして形成されている。取入口３６ａの開口面積及び形状はシロッコファン２６の吐出口３０ｄの開口面積及び形状と同じにされている。また、送風ダクト３４の上面側の開口は冷却風を送風するための送風用開口３４ａとして形成されている。
【００３１】
送風ダクト３４の内部には仕切壁３７、３８が設けられており、これにより送風ダクト３４の内部に第１の流路３９Ｒと第２の流路３９Ｇと第３の流路３９Ｂとが形成されている（図４参照）。
【００３２】
シロッコファン２６から取入口３６ａを介して送風ダクト３４へ送風される冷却風は、第１の流路３９Ｒ、第２の流路３９Ｇ、第３の流路３９Ｂの順に風量が多くなるような位置に仕切壁３７、３８が設けられている。
【００３３】
送風ダクト３４の送風用開口３４ａは、シート部材４０によって覆われている（図４参照）。シート部材４０には３組の開口部４１、４２、４３が形成されており、該開口部４１、４２、４３は、長方形状を為しそれぞれ並設して形成された第１の導風口４１ａ、４２ａ、４３ａと該第１の導風口４１ａ、４２ａ、４３ａより長手方向の長さが稍短い第２の導風口４１ｂ、４２ｂ、４３ｂとによって構成されている。開口部４１は第１の流路３９Ｒの奥側の部分に対応した位置に形成され、開口部４２は第２の流路３９Ｇの奥側の部分に対応した位置に形成され、開口部４３は第３の流路３９Ｂの奥側の部分に対応した位置に形成されている。
【００３４】
第１の導風口４１ａ、４２ａ、４３ａは、それぞれ上記入射側偏光板１８Ｒ、１８Ｇ、１８Ｂの真下に位置され、第２の導風口４１ｂ、４２ｂ、４３ｂは、それぞれ上記出射側偏光板２０Ｒ、２０Ｇ、２０Ｂの真下に位置されている。
【００３５】
第１の導風口４１ａ、４２ａ、４３ａ及び第２の導風口４１ｂ、４２ｂ、４３ｂの開口縁には、それぞれ上方へ突出されたフード部４４、４４、・・・が設けられ、それらの上端側の開口が第１の吹出口４１ｃ、４２ｃ、４３ｃ、第２の吹出口４１ｄ、４２ｄ、４３ｄとして形成されている（図４参照）。
【００３６】
送風ダクト３４には、シート部材４０を上側から覆うようにしてユニットフレーム４５が取り付けられている（図４参照）。ユニットフレーム４５は光学部品配置部４６と該光学部品配置部４６の一端部から上方へ突出されたレンズ保持枠４７とから成り、光学部品配置部４６に送風用開口４６ａ、４６ｂ、４６ｃが形成されている。送風用開口４６ａ、４６ｂ、４６ｃは、それぞれシート部材４０の開口部４１、４２、４３に対応する位置に形成され、送風用開口４６ａ、４６ｂ、４６ｃからそれぞれ開口部４１、４２、４３の各２つずつのフード部４４、４４、・・・が上方へ突出されており、各フード部４４、４４、・・・の上端が上記入射側偏光板１８Ｒ、１８Ｇ、１８Ｂ又は出射側偏光板２０Ｒ、２０Ｇ、２０Ｂの下端に近接して位置されている（図２参照）。
【００３７】
シート部材４０及びユニットフレーム４５が取り付けられた送風ダクト３４は、取入部３６の先端が吐出部３０の先端に突き合わされ、取入口３６ａと吐出口３０ｄが位置合わせされた状態でシロッコファン２６に結合されている（図３及び図５参照）。
【００３８】
レンズ保持枠４７には投射レンズ４８が保持され、該投射レンズ４８の先端部が外筐２から突出されている。外筐２における投射レンズ４８の側方には、２つの排気用ファン４９、４９が配置されている（図１及び図２参照）。
【００３９】
以下に、放電ランプ２４から出射された光の経路について説明する（図３参照）。
【００４０】
放電ランプ２４から出射された光は、光路Ｐ１を通り、フライアイレンズ６、７によって多数の光スポットに分割され、ＰＳ変換素子８に入射される。ＰＳ変換素子８において光の偏光方向が揃えられコンデンサーレンズ９を経て全反射ミラー１０によって９０°反射され、ダイクロイックミラー１１Ｒに入射される。
【００４１】
ダイクロイックミラー１１Ｒに入射された光のうち、赤色の波長域の光は９０°反射され光路Ｐ２を経て全反射ミラー１５によってさらに９０°反射されることによりフィールドレンズ１７Ｒに入射される。
【００４２】
ダイクロイックミラー１１Ｒに入射されて透過された光はダイクロイックミラー１１Ｇに入射され、入射された光のうち、緑色の波長域の光が９０°反射され光路Ｐ３を経てフィールドレンズ１７Ｇに入射される。
【００４３】
ダイクロイックミラー１１Ｇに入射されて透過された光は、光路Ｐ４を通り、リレーレンズ１２を経て全反射ミラー１３によって９０°反射され、さらにリレーレンズ１４を経て全反射ミラー１６によって９０°反射された青色の波長域の光がフィールドレンズ１７Ｂに入射される。
【００４４】
フィールドレンズ１７Ｒ、１７Ｇ、１７Ｂにそれぞれ入射された各波長域の光のうち、入射側偏光板１８Ｒ、１８Ｇ、１８Ｂを透過された所定の偏光方向の光は、ライトバルブ１９Ｒ、１９Ｇ、１９Ｂにおいて、印加された画像信号に基づいて、その偏光面が回転される。偏光面が回転された光の所定の偏光成分が出射側偏光板２０Ｒ、２０Ｇ、２０Ｂを透過され、映像光としてクロスプリズム２１に入射され色合成される。そして、色合成された光が投射レンズ２２から出射されて図示しないスクリーン等にフルカラーの映像が映し出される。
【００４５】
投射型表示装置１の駆動時には、シロッコファン２６の回転翼２８が回転されて外気が冷却風として外筐２の底面に形成された図示しない吸気口から取り入れられると共に排気用ファン４９、４９が回転されて取り入れられた冷却風が図示しない排気口から排出される。
【００４６】
冷却風は、シロッコファン２６の回転翼２８の回転により送風空間３３を回転翼２８の回転方向へ送られていく（図５参照）。このとき、一部の冷却風が送風部３２に流れ送風口３２ａから吐出される。送風口３２ａから吐出された冷却風によって、送風部３２の上方に位置するフライアイレンズ７及びＰＳ変換素子８が冷却され耐熱使用保証温度以下に保持される。
【００４７】
このように、投射型表示装置１にあっては、吐出口３０ｄの他に、冷却風を送風するための送風口３２ａを有する送風部３２を設けたので、ＰＳ変換素子８等を冷却するための吸気用のファンを別に設ける必要がなく、部品点数の削減による製造コストの低減を図ることができると共に投射型表示装置１の消費電力の抑制を図ることができる。また、配置スペースが少なくてすむため、投射型表示装置１の小型化にも寄与する。さらに、吸気用のファンの数が少ない分だけ、騒音値も低く、会議等で使用されることが多い投射型表示装置１の騒音を小さくすることができる。
【００４８】
図６及び図７は、送風口を有しないシロッコファンと送風口を有するシロッコファンとについて、送風量の比較を行った実験結果を示す表又はグラフである。
【００４９】
実験は、吐出口３０ｄから吐出される冷却風がシロッコファンから吐出可能な最大風量の７０％になるように設定し、直径７ｍｍの送風口を、回転翼２８の回転軸を中心として、吐出部３０の第１の面部３０ａから回転翼２８の回転方向側に約１２０°（図５の角度α）隔てた位置に形成し、送風口から吐出される風量が１分間に０．０３立方メートル程度になるような条件の下で行った。
【００５０】
図６及び図７に示されるように、角度αが１２０°の位置に送風口が形成されたシロッコファンにあっては、送風口が形成されていないシロッコファンと比較して、吐出口３０ｄから吐出される冷却風の風量に大幅な低下は見られなかった。従って、吐出口３０ｄから吐出される冷却風による入射側偏光板１８Ｒ、１８Ｇ、１８Ｂ、ライトバルブ１９Ｒ、１９Ｇ、１９Ｂ、出射側偏光板２０Ｒ、２０Ｇ、２０Ｂが十分に冷却されると共に送風口３２ａから吐出される冷却風によってＰＳ変換素子８等が十分に冷却され、シロッコファン２６の適正な冷却性能を確保することができることが実証された。
【００５１】
また、光学部品の中でも特に冷却が必要な入射側偏光板１８Ｒ、１８Ｇ、１８Ｂ、ライトバルブ１９Ｒ、１９Ｇ、１９Ｂ、出射側偏光板２０Ｒ、２０Ｇ、２０ＢとＰＳ変換素子８等を一つのシロッコファン２６を用いて冷却することができるため、投射型表示装置１における効率的な冷却を行うことができる。
【００５２】
尚、上記には送風部３３を、回転翼２８の回転軸を中心として吐出部３０の第１の面部３０ａから回転翼２８の回転方向側に約１２０°隔てた位置に形成した場合を示したが、回転翼２８の回転軸を中心として第１の面部３０ａから回転翼２８の回転方向側に約９０°までの範囲は、周面部２９ｂが設けられていなくてもシロッコファン２６における冷却風の生成能力にほとんど影響しないことが確認されているため、この９０°の範囲に送風部３３を設けてシロッコファン２６の適正な冷却能力を確保する用にしてもよい。
【００５３】
一方、シロッコファン２６の回転翼２８の回転により送風空間３３を回転翼２８の回転方向へ送られた冷却風は、送風部３２に流れるものを除き吐出口３２ｄから送風ダクト３４へ向けて送風されていく。送風ダクト３４に送られた冷却風は、第１の流路３９Ｒと第２の流路３９Ｇと第３の流路３９Ｂとに分離して流れていく。第１の流路３９Ｒと第２の流路３９Ｇと第３の流路３９Ｂとに分離して流れた冷却風は、それぞれフード部４４、４４、・・・の上端側の開口である第１の吹出口４１ｃ、４２ｃ、４３ｃ、第２の吹出口４１ｄ、４２ｄ、４３ｄから入射側偏光板１８Ｒ、１８Ｇ、１８Ｂ、出射側偏光板２０Ｒ、２０Ｇ、２０Ｂへ向けて吐出され、入射側偏光板１８Ｒ、１８Ｇ、１８Ｂ、ライトバルブ１９Ｒ、１９Ｇ、１９Ｂ及び出射側偏光板２０Ｒ、２０Ｇ、２０Ｂが冷却され、これらの各光学部品が限界保証温度以下に保持される。
【００５４】
以上に記載したように、投射型表示装置１にあっては、送風ダクト３４に仕切壁３７、３８を設け冷却風の流路を第１の流路３９Ｒと第２の流路３９Ｇと第３の流路３９Ｂとに分割しているため、各流路３９Ｒ、３９Ｇ、３９Ｂに流れる流量が適正に配分され、入射側偏光板１８Ｒ、１８Ｇ、１８Ｂ、ライトバルブ１９Ｒ、１９Ｇ、１９Ｂ及び出射側偏光板２０Ｒ、２０Ｇ、２０Ｂの各温度に応じた効率的な冷却を行うことができる。
【００５５】
尚、一般に、入射側偏光板１８Ｒ、１８Ｇ、１８Ｂ、ライトバルブ１９Ｒ、１９Ｇ、１９Ｂ及び出射側偏光板２０Ｒ、２０Ｇ、２０Ｂは、温度がＢ＞Ｇ＞Ｒの順に高温となるため、上記のように第３の流路３９Ｂを流れる冷却風の流量を第２の流路３９Ｇを流れる冷却風の流量より大きくすると共に第２の流路３９Ｇを流れる冷却風の流量を第３の流路３９Ｒを流れる冷却風の流量より大きくすることにより、最も効率的な冷却を行うことができる。
【００５６】
また、冷却風は、第１の吹出口４１ｃ、４２ｃ、４３ｃ、第２の吹出口４１ｄ、４２ｄ、４３ｄから入射側偏光板１８Ｒ、１８Ｇ、１８Ｂの両面及び出射側偏光板２０Ｒ、２０Ｇ、２０Ｂの両面へ向けて吐出されるため、冷却効率の向上を図ることができる。
【００５７】
さらに、投射型表示装置１にあっては、入射側偏光板１８Ｒ、１８Ｇ、１８Ｂへ向けて冷却風を送風する第１の導風口４１ａ、４２ａ、４３ａと出射側偏光板２０Ｒ、２０Ｇ、２０Ｂへ向けて冷却風を送風する第２の導風口４１ｂ、４２ｂ、４３ｂとを有するシート部材４０を設けているので、各導風口４１ａ、４２ａ、４３ａ、４１ｂ、４２ｂ、４３ｂを所望の大きさに形成することにより、適正な風量配分をして効率的な冷却を行うことができる。
【００５８】
加えて、投射型表示装置１にあっては、シート部材４０にフード部４４、４４、・・・を設けているので、第１の吹出口４１ｃ、４２ｃ、４３ｃ、第２の吹出口４１ｄ、４２ｄ、４３ｄから入射側偏光板１８Ｒ、１８Ｇ、１８Ｂ及び出射側偏光板２０Ｒ、２０Ｇ、２０Ｂへ向けて吹き出された冷却風の周囲の空間への逃げを防止することができ、効率的な冷却を行うことができる。
【００５９】
上記した各冷却風は、光学ユニットケース４内を流れた後、排気用ファン４９、４９を介して外部へ排出される。
【００６０】
上記した実施の形態において示した各部の具体的な形状及び構造は、何れも本発明の実施を行うに際しての具体化のほんの一例を示したものにすぎず、これらによって本発明の技術的範囲が限定的に解釈されることがあってはならないものである。
【００６６】
【発明の効果】
以上に記載したところから明らかなように、本発明投射型表示装置は、光源となる電源バルブから出射された光のうち赤色の波長域の光を変調する第１のライトバルブと、上記電源バルブから出射された光のうち緑色の波長域の光を変調する第２のライトバルブと、上記電源バルブから出射された光のうち青色の波長域の光を変調する第３のライトバルブとを備え、吸気用ファンから送風された冷却風を送風ダクトの送風用開口を介して上記第１のライトバルブと第２のライトバルブと第３のライトバルブとへ向けて送風して冷却する投射型表示装置であって、上記送風ダクトの送風用開口を覆うと共に上記第１のライトバルブと第２のライトバルブと第３のライトバルブとへ向けて送風される冷却風の各出口となる導風口が形成されたシート部材と、上記導風口から各ライトバルブ側へ吐出される冷却風を通すフード部とを設け、上記送風ダクトと上記シート部材とは別体に構成され、上記各導風口は上記各ライトバルブ側へ吐出される上記冷却風の風量に応じて所望の大きさに形成されるようにしたことを特徴とする。
【００６７】
従って、ライトバルブがフード部の先端に近接又は当接して配置されるので、各ライトバルブへ向けて送風される冷却風の周囲の空間への逃げを防止することができ、また、シート部材に設けられた各導風口が各ライトバルブ側へ吐出される冷却風の風量に応じて所望の大きさに形成されるようにしたので、効率的な冷却を行うことができる。また、シート部材が送風ダクトとは別体になっているので、冷却風の風量を加減するため導風口の大きさを変える必要がある場合でも、シート部材を交換するだけで済む。
【００６８】
請求項２に記載した発明にあっては、送風ダクトに仕切壁を設けて冷却風の流路を第１のライトバルブ用の第１の流路と第２のライトバルブ用の第２の流路と第３のライトバルブ用の第３の流路とに分割し、上記第１のライトバルブと第２のライトバルブと第３のライトバルブとへ向けて各導風口から各別に冷却風を送風するようにしたので、各流路に流れる流量を適正に配分することにより、各ライトバルブ及びその周辺に配置される各光学部品の温度に応じた効率的な冷却を行うことができる。
【００６９】
請求項３に記載した発明にあっては、第３の流路を流れる冷却風の流量を第２の流路を流れる冷却風の流量より多くすると共に第２の流路を流れる冷却風の流量を第１の流路を流れる冷却風の流量より多くしたので、一般に、第３のライトバルブ、第２のライトバルブ、第１のライトバルブの順に高温となるこれらのライトバルブ及びその周辺に配置される各光学部品に対して、最も効率的な冷却を行うことができる。
【００７０】
請求項４に記載した発明にあっては、上記第１のライトバルブと第２のライトバルブと第３のライトバルブの各入射面と各出射面に対向してそれぞれ入射側偏光板と出射側偏光板とを配置し、入射側偏光板又は出射側偏光板の少なくとも一方の偏光板の両面へ向けて冷却風を送風するようにしたので、冷却効率の向上を図ることができる。
【００７１】
請求項５に記載した発明にあっては、上記第１のライトバルブと第２のライトバルブと第３のライトバルブの各入射面と各出射面に対向してそれぞれ入射側偏光板と出射側偏光板とを配置し、送風ダクトの送風用開口を覆うと共に上記第１の流路と第２の流路と第３の流路とをそれぞれ流れる冷却風の各出口となる導風口を有するシート部材を設け、入射側偏光板へ向けて冷却風を送風する第１の導風口と出射側偏光板へ向けて冷却風を送風する上記第１の導風口と異なる大きさの第２の導風口とにより上記導風口を構成したので、各導風口を所望の大きさに形成することにより、適正な風量配分をして効率的な冷却を行うことができる。
【図面の簡単な説明】
【図１】図２乃至図７と共に本発明の実施の形態を示すものであり、本図は投射型表示装置の概略斜視図である。
【図２】一部を断面にして示す投射型表示装置の概略正面図である。
【図３】投射型表示装置の概略平面図である。
【図４】シロッコファンと送風ダクトとシート部材とユニットフレームとを示す拡大分解斜視図である。
【図５】シロッコファンと送風ダクトが連結された状態を一部を断面にして示す拡大平面図である。
【図６】送風口を有しないシロッコファンと送風口を有するシロッコファンとについて、送風量の比較を行った実験結果を示す表である。
【図７】図６に示す実験結果を静圧と送風量との関係にして示すグラフ図である。
【符号の説明】
１…投射型表示装置（電子機器）、１８Ｒ…入射側偏光板、１８Ｇ…入射側偏光板、１８Ｂ…入射側偏光板、１９Ｒ…ライトバルブ（第１のライトバルブ）、１９Ｇ…ライトバルブ（第２のライトバルブ）、１９Ｂ…ライトバルブ（第３のライトバルブ）、２０Ｒ…出射側偏光板、２０Ｇ…出射側偏光板、２０Ｂ…出射側偏光板、２４…放電ランプ（電源バルブ）、２６…シロッコファン（吸気用ファン）、３４…送風ダクト、３４ａ…送風用開口、３７…仕切壁、３８…仕切壁、３９Ｒ…第１の流路、３９Ｇ…第２の流路、３９Ｂ…第３の流路、４０…シート部材、４１ａ…第１の導風口、４１ｂ…第２の導風口、４２ａ…第１の導風口、４２ｂ…第２の導風口、４３ａ…第１の導風口、４３ｂ…第２の導風口、４３ａ…第１の導風口、４３ｂ…第２の導風口、４４…フード部
【図１】
0003698054.tif 000002
【図２】
0003698054.tif 000003
【図３】
0003698054.tif 000004
【図４】
0003698054.tif 000005
【図５】
0003698054.tif 000006
【図６】
0003698054.tif 000007
【図７】
0003698054.tif 000008